(57)【特許請求の範囲】
【請求項１】
中継とドナー基地局との間のバックホールリンクを確立することと、
前記中継からＵＥに前記バックホールリンクの特性に関する情報を提供することと、
事象報告を受信することと、
前記事象報告に少なくとも部分的に基づいて、前記ＵＥのハンドオフを実行するか否かを決定することとを具備し、
前記バックホールリンクの前記特性に関する前記情報は、前記ＵＥと、前記中継、前記ドナー基地局、または、前記ドナー基地局以外の第２の基地局の少なくとも１つとの間のアクセスリンクの測定に適用されるオフセットを表すバイアスを少なくとも含み、
前記ＵＥが、前記中継と前記ＵＥとの間の中継アクセスリンクの測定に基づいて前記事象報告を提供するか否かを考えるときに、前記バイアスが前記ＵＥによって利用されるように適合されている、無線通信の方法。
【請求項２】
前記情報を提供することは、前記中継とＵＥとの間の中継アクセスリンクを通して、前記中継から前記ＵＥに前記情報を直接送信することを含む、請求項１の方法。
【請求項３】
前記情報を提供することは、前記ドナー基地局と前記ＵＥとの間のダイレクトアクセスリンクを通して前記ＵＥに提供するために、前記バックホールリンクを通して前記中継から前記ドナー基地局に前記情報を送信することを含む、請求項１の方法。
【請求項４】
前記情報を提供することは、ネットワークノードと前記ＵＥとの間のリンクを通して前記ＵＥに提供するために、前記情報を前記中継から前記ネットワークノードに送信することを含む、請求項１の方法。
【請求項５】
前記ネットワークノードと前記ＵＥの間の前記リンクは、前記ドナー基地局以外の異種の基地局と前記ＵＥとの間のダウンリンクを含む、請求項４の方法。
【請求項６】
前記バイアスは、セル個別オフセット（ＣＩＯ）として提供される、請求項１の方法。
【請求項７】
前記バックホールリンクの前記特性は、バックホールリンク幾何学ＧＲＢＨＬをさらに含む、請求項１の方法。
【請求項８】
前記ＧＲＢＨＬは、近隣セルからの干渉の電力スペクトル密度に対する前記ドナー基地局からの送信の電力スペクトル密度の比を含む、請求項７の方法。
【請求項９】
前記バイアスは、バックホールリンク品質と基準品質との間の差に部分的に依存する、請求項１の方法。
【請求項１０】
前記中継によって、前記バックホールリンクの電力を測定することにより前記バックホールリンク品質を決定することをさらに具備し、
前記基準品質は、前記ドナー基地局上のパイロット電力オーバーヘッドを含む、請求項９の方法。 
【請求項１１】
中継とＵＥとの間の中継アクセスリンクの特性を決定することと、
前記中継とドナー基地局との間のバックホールリンクの特性に関する情報を受信することと、
前記中継へまたは前記中継からのハンドオフに関する事象報告を提供することと、
を具備し、
前記バックホールリンクの前記特性に関する前記情報は、前記ＵＥと、前記中継、前記ドナー基地局、または、前記ドナー基地局以外の第２の基地局の少なくとも１つとの間のアクセスリンクの測定に適用されるオフセットを表すバイアスを少なくとも含み、
前記ＵＥが、前記中継と前記ＵＥとの間の中継アクセスリンクの測定に基づいて前記事象報告を提供するか否かを考えるときに、前記バイアスが前記ＵＥによって利用されるように適合されている、無線通信の方法。
【請求項１２】
前記中継アクセスリンクの前記特性の決定は、前記ＵＥを利用して、前記中継アクセスリンクを測定することを含む、請求項１１の方法。
【請求項１３】
第１の基地局とのダイレクトアクセスリンクの特性を測定することと、
前記中継アクセスリンクの前記特性と前記ダイレクトアクセスリンクの前記特性とを比較して、前記事象報告を決定することと、
をさらに具備する、請求項１１の方法。
【請求項１４】
前記第１の基地局は、前記中継を担当する前記ドナー基地局である、請求項１３の方法。
【請求項１５】
前記第１の基地局は、前記中継を担当する前記ドナー基地局以外の異種の基地局である、請求項１３の方法。
【請求項１６】
前記比較することは、次の不等式を決定することを含み、
【数１】
0005746221.tif 000015
ＭＵＥＤＡＬは、前記ＵＥによる前記ダイレクトアクセスリンクの測定値を含み、
ＣＩＯＭは、ＭＵＥＤＡＬをオフセットするためのセル個別オフセットを含み、
Ｈは、ヒステリシス値を含み、
ＭＵＥＲＡＬは、前記ＵＥによる前記中継アクセスリンクの測定値を含み、
ＣＩＯＲは、ＭＵＥＲＡＬをオフセットするためのセル個別オフセットを含み、
前記ＣＩＯＭまたは前記ＣＩＯＲの少なくとも１つは、前記バックホールリンクの前記特性に少なくとも部分的に対応する、請求項１３の方法。
【請求項１７】
中継とドナー基地局との間のバックホールリンクを確立する手段と、
前記バックホールリンクの特性に関する情報を前記中継からＵＥに提供する手段と、
事象報告を受信する手段と、
前記事象報告に少なくとも部分的に基づいて、前記ＵＥのハンドオフを実行するか否かを決定する手段とを具備し、
前記バックホールリンクの前記特性に関する前記情報は、前記ＵＥと、前記中継、前記ドナー基地局、または、前記ドナー基地局以外の第２の基地局の少なくとも１つとの間のアクセスリンクの測定に適用されるオフセットを表すバイアスを少なくとも含み、
前記ＵＥが、前記中継と前記ＵＥとの間の中継アクセスリンクの測定に基づいて前記事象報告を提供するか否かを考えるときに、前記バイアスが前記ＵＥによって利用されるように適合されている、無線通信用の装置。
【請求項１８】
中継とＵＥとの間の中継アクセスリンクの特性を決定することと、
前記中継とドナー基地局との間のバックホールリンクの特性に関する情報を受信することと、
前記中継へまたは前記中継からのハンドオフに関する事象報告を提供することと、
を具備し、
第１の基地局とのダイレクトアクセスリンクの特性を測定することと、
前記中継アクセスリンクの前記特性と前記ダイレクトアクセスリンクの前記特性とを比較して、前記事象報告を決定することと、
をさらに具備し、
前記事象報告は、前記中継アクセスリンクの特性と前記バックホールリンクの特性とに少なくとも部分的に依存し、
前記比較することは、次の不等式を決定することを含み、
【数２】
0005746221.tif 000016
ＭＵＥＤＡＬは、前記ＵＥによる前記ダイレクトアクセスリンクの測定値を含み、
ＣＩＯＭは、ＭＵＥＤＡＬをオフセットするためのセル個別オフセットを含み、
Ｈは、ヒステリシス値を含み、
ＭＵＥＲＡＬは、前記ＵＥによる前記中継アクセスリンクの測定値を含み、
ＣＩＯＲは、ＭＵＥＲＡＬをオフセットするためのセル個別オフセットを含み、
前記ＣＩＯＭまたは前記ＣＩＯＲの少なくとも１つは、前記バックホールリンクの前記特性に少なくとも部分的に対応する、無線通信の方法。
【請求項１９】
前記中継アクセスリンクの前記特性を決定することは、前記ＵＥを利用して、前記中継アクセスリンクを測定することを含む、請求項１８の方法。
【請求項２０】
前記第１の基地局は、前記中継を担当する前記ドナー基地局である、請求項１８の方法。
【請求項２１】
前記第１の基地局は、前記中継を担当する前記ドナー基地局以外の異種の基地局である、請求項１８の方法。
【請求項２２】
中継とＵＥとの間の中継アクセスリンクの特性を決定することと、
前記中継とドナー基地局との間のバックホールリンクの特性に関する情報を受信することと、
前記中継へまたは前記中継からのハンドオフに関する事象報告を提供することと、
を具備し、
前記事象報告は、前記中継アクセスリンクの特性と前記バックホールリンクの特性とに少なくとも部分的に依存し、
前記バックホールリンクの前記特性に関する前記情報は、オフセットを表すバイアスを含み、
前記方法は、
前記ＵＥと、前記中継、前記ドナー基地局、または、前記ドナー基地局以外の異種の基地局の少なくとも１つとの間のアクセスリンクの測定に前記バイアスを適用することをさらに具備する、方法。
【発明の詳細な説明】
【関連出願の相互参照】
【０００１】
この出願は、２０１０年１月２８日に出願された「METHOD AND APPARATUS FOR HANDOFF IN WIRELESS COMMUNICATIONS」と題された、米国仮特許出願番号第６１／２９９，２８９号に利益を要求し、それは、明らかに参照によってその全体にここに組み込まれる。
【技術背景】
【０００２】
［分野］
現在の開示の態様は、一般に無線通信システム、特に、無線通信システムの中継に関連するハンドオフに関する。
【０００３】
［技術背景］
無線通信システムは、例えば、音声、データなどのような様々なタイプのコミュニケーションコンテンツを提供するために広く展開する。典型的な無線通信システムは、利用可能なシステムリソース（例えば、帯域幅、送信電力など）の共有により、多数のユーザとのコミュニケーションを支援することができる多元接続システムでもよい。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含んでいてもよい。さらに、システムは、ユニバーサルモバイル通信システム（ＵＭＴＳ）、ＬＴＥ（long term evolution）、ｃｄｍａ２０００、ＵＭＢ（ultra mobile broadband）、ＷｉＭＡＸなどのような、第三世代パートナシッププロジェクト（３ＧＰＰ）、３ＧＰＰ２および／または電気電子技術者協会（ＩＥＥＥ）の学会によって公開され維持されるもののような標準に従うことができる。
【０００４】
一般に、無線多元接続通信システムは、多数のモバイル機器のためのコミュニケーションを同時に支援してもよい。各モバイル機器は、フォワードおよびリバースリンク上の送信によって、１つ以上のアクセスポイント（例えば、基地局）と通信してもよい。フォワードリンク（またはダウンリンク）は、アクセスポイントからモバイル機器までの通信リンクを指す。また、リバースリンク（またはアップリンク）は、モバイル機器からアクセスポイントへの通信リンクを指す。さらに、モバイル機器とアクセスポイントの間の通信は、ＳＩＳＯ（single-input single-output）システム、ＭＩＳＯ（multiple-input single-output）システム、ＭＩＭＯ（multiple-input multiple-output）システムなどによって確立されてもよい。しかしながら、受信地域端部の近くのモバイル機器およびまたは通信量の多いエリアでのデバイスが、アクセスポイントからの通信の低下した品質を経験するように、アクセスポイントは、資源と同様に地理的なサービスエリアでも制限される可能性がある。
【要約】
【０００５】
次は、そのような態様の基本的理解を提供するために、１つ以上の態様の簡略化された要約を表す。この要約は、全ての熟考された態様の広範囲な概要でなく、全ての態様の要所または重大なエレメントを特定せず、いくつかのまたは全ての態様の範囲を描写しないことを意図する。その唯一の目的は、後で示されるより詳細な記述を前置きとして簡略化された形式の１つ以上の態様のいくつかの概念を提示することである。
【０００６】
中継と基地局の間のハンドオーバを行うべきかどうかの決定は、中継と中継を担当する（serving）ドナー基地局の間のバックホールリンクに少なくとも部分的に依存してもよい。すなわち、中継は、ユーザ設備へのバックホールリンクの特性に関係のある情報を提供してもよい。また、ユーザ設備は、バックホールリンクの特性に従って、中継と基地局から送信された信号のその測定にバイアスをかけるために、この情報を利用してもよい。このように、バックホールリンクが、それがボトルネックになるように被る場合、中継と基地局の間のハンドオーバ決定は、もっぱら中継および基地局からの送信に基づいた決定よりよく通知される。
【０００７】
１つの態様では、開示は、無線通信の方法を提供する。それは、中継とドナー基地局の間のバックホールリンクを確立し、中継からＵＥにバックホールリンクの特性に関係する情報を提供することを含んでいる。開示の別の態様は、無線通信の方法を提供する。それは、中継とＵＥの間の中継アクセスリンクの特性を決定し、中継とドナー基地局の間のバックホールリンクの特性に関係のある情報を受信し、中継へまたは中継からのハンドオフに関係がある事象報告を提供することを含んでいる。ここで、事象報告は、中継アクセスリンクの特性およびバックホールリンクの特性に少なくとも部分的に依存する。
【０００８】
さらに、開示の別の態様は、中継とドナー基地局の間のバックホールリンクを確立するための手段と、中継からＵＥにバックホールリンクの特性に関係のある情報を提供するための手段とを含む無線通信用の装置を提供する。さらに、開示の別の態様は、無線通信用の装置を提供する。それは、中継とＵＥの間の中継アクセスリンクの特性を決定するための手段と、中継とドナー基地局の間のバックホールリンクの特性に関係のある情報を受信するための手段と、中継へまたは中継からのハンドオフに関係がある事象報告を提供するための手段と、を含んでいる。そこでは、事象報告は、中継アクセスリンクの特性およびバックホールリンクの特性に少なくとも部分的に依存する。
【０００９】
開示の別の態様は、コンピュータ可読媒体を含むコンピュータプログラム製品を提供する。コンピュータ可読媒体は、中継とドナー基地局の間のバックホールリンクの確立のためのコードと、中継からＵＥにバックホールリンクの特性に関係のある情報を提供するためのコードと、を有している。開示の別の態様は、コンピュータ可読媒体を含むコンピュータプログラム製品を提供する。コンピュータ可読媒体は、中継とＵＥの間の中継アクセスリンクの特性を決定するためのコードと、中継とドナー基地局の間のバックホールリンクの特性に関係のある情報を受信するためのコードと、中継へまたは中継からのハンドオフに関係がある事象報告を提供するためのコードと、を有している。そこでは、事象報告は、中継アクセスリンクの特性およびバックホールリンクの特性に少なくとも部分的に依存する。
【００１０】
開示の別の態様は、少なくとも１つのプロセッサ、および少なくとも１つのプロセッサにつながれたメモリを含む無線通信のための装置を提供する。ここで、少なくとも１つのプロセッサは、中継とドナー基地局の間のバックホールリンクを確立し、かつ中継からＵＥにバックホールリンクの特性に関係のある情報を提供するように構成される。開示の別の態様は、少なくとも１つのプロセッサ、および少なくとも１つのプロセッサにつながれたメモリを含む無線通信のための装置を提供する。そこでは、少なくとも１つのプロセッサは、中継とＵＥの間の中継アクセスリンクの特性を決定し、中継とドナー基地局の間のバックホールリンクの特性に関係のある情報を受信し、かつ中継へまたは中継からのハンドオフに関係のある事象報告を提供するように構成される。そこでは、事象報告は、中継アクセスリンクの特性およびバックホールリンクの特性に少なくとも部分的に依存する。
【００１１】
これらおよび発明の他の態様は、下記の詳細な記述の考察でより完全に理解されるようになるだろう。
【図面の簡単な説明】
【００１２】
【図１】図１は、少なくとも１つの中継を利用する無線通信システムを例証する簡略化されたブロック図である。
【図２】図２は、より詳細に示された追加のサブブロックを備えた、図１の無線通信システムを例証するブロック図である。
【図３】図３は、一例として、３ＧＰＰ  ＬＴＥおよびＥＰＣ基準に従って、中継を利用するテレコミュニケーションシステムの例を概念的に例証するブロック図である。
【図４】図４は、中継を利用する無線通信システムにおけるあるノード間の信号を例証するブロック図である。
【図５】図５は、開示のいくつかの態様に従って、トリガの事象を決定するためにバックホールリンク情報を利用する過程を例証するコールフローチャートである。
【図６】図６は、開示のいくつかの態様に従って、トリガの事象を決定するためにバックホールリンク情報を利用する過程を例証するコールフローチャートである。
【図７】図７は、開示のいくつかの態様に従って、バイアスの適応を例証する図表である。
【図８】図８は、開示のいくつかの態様に従って、中継へまたは中継からＵＥがハンドオフするかどうかを決定するために、バックホールリンク情報を利用する中継の過程を例証するフローチャートである。
【図９】図９は、開示のいくつかの態様に従って、中継へまたは中継からハンドオフに関係のある事象報告を決定するために、バックホールリンク情報を利用するＵＥの過程を例証するフローチャートである。
【図１０】図１０は、開示のいくつかの態様に従って、ＵＥおよび中継または基地局のようなネットワークノードのあるコンポーネントを例証するブロック図である。
【図１１】図１１は、処理システムを使用する装置のためのハードウェアインプリメンテーションの例を例証するブロック図である。
【詳細な説明】
【００１３】
種々な態様は、図面に関して今記述される。次の記述では、説明の目的のために、多数の特定の詳細は、１つ以上の態様についての十分な理解を提供するために述べられる。それは明白でもよい。しかし、そのような態様は、これらの特定の詳細なく実施されてもよい。
【００１４】
この出願で使用されるような、用語「コンポーネント」、「モジュール」、「システム」などは、コンピュータ関連の実体（entity）を含むように意図される。しかし、ハードウェア、ファームウェア、ハードウェアとソフトウェアの組み合わせ、ソフトウェアまたは実行中のソフトウェアに限定されることはない。例えば、コンポーネントは、プロセッサ上で走るプロセス、プロセッサ、オブジェクト、実行ファイル、実行のスレッド、プログラムおよび／またはコンピュータであるが、これらに限定されない。実例として、コンピューティングデバイス上で作動するアプリケーションおよびコンピューティングデバイスの両方は、コンポーネントになりえる。１つ以上のコンポーネントは、プロセスおよび／または実行のスレッド内に存在することができる。また、コンポーネントは、１つのコンピュータに集中されてもよく、および／または、２つ以上のコンピュータ間で分配されてもよい。さらに、これらのコンポーネントは、その上に格納された様々なデータ構造を有する様々なコンピュータ可読媒体から実行することができる。コンポーネントは、ローカルシステム、分散システムおよび／または信号経由の他のシステムを備えたインターネットのようなネットワークを介して、別のコンポーネントと情報をやり取りする１つのコンポーネントからのデータのような、１つ以上のデータパケットを有する信号に従うようなローカルおよび／またはリモートプロセス経由で通信してもよい。 
さらに、種々の態様は、端末に関してここに記述される。それは、有線端末または無線端末になりえる。端末は、システム、デバイス、加入者ユニット、加入者ステーション、移動局、モバイル、モバイル機器、遠隔ステーション、遠隔端末、アクセスターミナル、ユーザ端末、端末、通信デバイス、ユーザエージェント、ユーザデバイスまたはユーザ設備（ＵＥ）と呼ぶことができる。無線端末は、携帯電話、衛星電話、コードレス電話、セッション開始プロトコル（ＳＩＰ）電話、無線ローカルループ（ＷＬＬ）ステーション、携帯情報端末（ＰＤＡ）、無線接続能力を有する携帯デバイス、コンピューティングデバイスまたは無線モデムに接続された他の制御演算装置でもよい。さらに、種々の態様は、基地局に関してここに記述される。基地局は、無線端末と通信するために利用されてもよいし、アクセスポイント、ノードＢまたはいくつかの他の専門用語を参照してもよい。
【００１５】
さらに、用語「または」は、排他的な「または」ではなく、包括的な「または」を意味するように意図される。すなわち、もし、他の指定がないならば、または、状況から明らかでないならば、フレーズ「ＸはＡまたはＢを使用する」は、自然な包括的な置換のうちのどれでも意味するように意図される。すなわち、フレーズ「ＸはＡまたはＢを使用する」は、次のインスタンスのうちのいずれも満たされる：ＸはＡを使用する；ＸはＢを使用する；または、ＸはＡとＢの両方を使用する。さらに、この出願および添付された請求項の中で使用されるようなアーティクル「１つの（a）」、「１つの（an）」は、他の指定がないならば、または、状況から明らかでないならば、「１つ以上」を意味するように一般に解釈されるべきである。
【００１６】
種々の態様または特性は、多くのデバイス、コンポーネント、モジュールなどを含んでいてもよいシステムに関して示されるだろう。様々なシステムが、図に関して議論された、追加のデバイス、コンポーネント、モジュールなどを含んでもよいこと、および／または、デバイス、コンポーネント、モジュールなどのすべてを含んでいなくてもよいことは、理解され認識される。これらのアプローチのコンビネーションは、使用されてもよい。
【００１７】
今図１を参照して、無線ネットワーク中の中継機能を提供することを促進する無線通信システム１００が、例証される。システム１００は、中継ｅＮＢ１０４のような１以上の中継ｅＮＢｓに、コアネットワーク１０６へのアクセスを提供するドナーｅＮＢ１０２を含んでいる。同様に、中継ｅＮＢ１０４は、中継ｅＮＢ１０４のような１つ以上の異種の中継ｅＮＢｓまたはＵＥ１１０のようなＵＥに、ドナーｅＮＢ１０２を介してコアネットワーク１０６へのアクセスを提供することができる。ドナーｅＮＢ１０２（それは、クラスタｅＮＢと呼ぶことができる）は、有線または無線のバックホールリンクに関するコアネットワーク１０６と通信することができる。それは、任意の適切な技術バックホールリンクになりえる。一例において、コアネットワーク１０６は、３ＧＰＰ発展パケットコア（ＥＰＣ）または同様の技術ネットワークになりえる。ドナーｅＮＢ１０２は、中継ｅＮＢ１０４（それは、ＬＴＥまたは他の適切なエアーインターフェースでありえる）に無線バックホールリンク（ＢＨＬ）を提供してもよい。また、中継ｅＮＢ１０４は、無線ＢＨＬを使用して、ドナーｅＮＢ１０２と通信することができる。中継ｅＮＢ１０４は、１つ以上の異種の中継ｅＮＢｓ１０８に無線アクセスリンクを同様に提供することができる。それは、ＬＴＥまたは他の技術リンクになりえる。一例において、ドナーｅＮＢ１０２は、その中継ｅＮＢ１０４を接続することができるように、ＬＴＥ無線バックホールリンクＢＨＬを提供することができる。中継ｅＮＢ１０４は、１つ以上の異種の中継ｅＮＢｓ１０８および／または１つ以上のＵＥ１１０へＬＴＥ無線中継アクセスリンク（ＲＡＬ）を提供することができる。ドナーｅＮＢ１０２は、適切な有線または無線のバックホール技術に関するコアネットワーク１０６に接続することができる。１つ以上の異種の中継ｅＮＢｓ１０８および／またはＵＥ１１０は、記述されるように、コアネットワーク１０６へのアクセスを受け取るために、ＬＴＥ無線アクセスリンクを使用して、中継ｅＮＢ１０４に接続することができる。ドナーｅＮＢおよび接続された中継ｅＮＢｓは、総称としてここでクラスタと呼ぶことができる。
【００１８】
例によれば、中継ｅＮＢ１０４は、従来のＬＴＥ構成中のＵＥであるように、リンクレイヤ（例えば、媒体アクセス制御（ＭＡＣ）層）でドナーｅＮＢ１０２に接続することができる。この点では、ドナーｅＮＢ１０２は、中継ｅＮＢ１０４をサポートするために、リンクレイヤまたは関連するインターフェース（例えば、Ｅ−ＵＴＲＡ−Ｕｕ）で変更を要求しない従来のＬＴＥ  ｅＮＢがありえる。さらに、例えば、リンクレイヤで中継ｅＮＢ１０４を接続するために、ＵＥ１１０に変更を要求しないように、中継ｅＮＢ１０４は、リンクレイヤの従来のｅＮＢとしてのＵＥ１１０に現すことができる。さらに、中継ｅＮＢ１０４は、アクセスおよびバックホールリンク、干渉管理、クラスタに対するアイドルモードセル選択および／または同様なものの間の資源分配のための手続きを形成することができる。
【００１９】
トランスポート層通信に関して、中継ｅＮＢ１０８またはＵＥ１１０通信と関係するプロトコルは、ドナーｅＮＢ１０２または中継ｅＮＢ１０４行きである可能性がある。前の場合では、中継ｅＮＢ１０４が、ドナーｅＮＢ１０２のセルに似ているので、中継ｅＮＢ１０４の機能性は、セル中継としてここに記述される。後の場合では、中継ｅＮＢ１０４が、ドナーｅＮＢ１０２を通るトンネリング通信およびトランスポートプロトコル行きのＵＥに似ているので、中継ｅＮＢ１０４の機能性は、ＵＥ中継としてここに記述される。例えば、中継ｅＮＢ１０４が、セル中継である場合、ドナーｅＮＢ１０２は、コアネットワーク１０６から中継ｅＮＢ１０４に関する通信を受けて、トランスポートプロトコルを終了し、アプリケーション層を本質的に完全にしておく異種のトランスポート層上の中継ｅＮＢ１０４へ通信を転送することができる。フォワーディングトランスポートプロトコルタイプが終端となるトランスポートプロトコルタイプと同じであることがあり得るが、中継ｅＮＢ１０４で確立された異なるトランスポート層であることが認識される。中継ｅＮＢ１０４は、通信と関係する中継ｅＮＢまたはＵＥを決定し、（例えば、通信内のその識別子に基づいた）中継ｅＮＢまたはＵＥに通信を提供することができる。同様に、ドナーｅＮＢ１０２は、中継ｅＮＢ１０４から受信された通信用のトランスポート層プロトコルを終了し、通信を異種のトランスポートプロトコルに翻訳し、セル中継として中継ｅＮＢ１０４のための完全なアプリケーション層を備えたコアネットワーク１０６に異種のトランスポートプロトコル上の通信を送信することができる。これらの例において、中継ｅＮＢ１０４が、別の中継ｅＮＢと通信している場合、中継ｅＮＢ１０４は、通信が正確な中継ｅＮＢに達することを保証するために、アプリケーションプロトコルルーティングをサポートすることができる。
【００２０】
別の例において、中継ｅＮＢ１０４が、ＵＥ中継である場合、中継ｅＮＢ１０４は、トランスポート層プロトコルで終端することができる。この例において、中継ｅＮＢ１０４は、コアネットワーク１０６からのアドレス（例えば、インターネットプロトコル（ＩＰ）アドレス）を割り当てることができる。コアネットワーク１０６からの通信は、ドナーｅＮＢ１０２から中継ｅＮＢ１０４へトンネルすることができる（例えば、ドナーｅＮＢ１０２は、アドレスに基づいた中継ｅＮＢ１０４へ通信を転送することができる）。さらに、中継ｅＮＢ１０４は、通信が（例えば、通信のその識別子に基づいた）中継ｅＮＢまたはＵＥに通信を関連づけて提供する中継ｅＮＢまたはＵＥを決定することができる。同じことが、中継ｅＮＢ１０４からコアネットワーク１０６まで通信のために生じる場合がある。各中継ｅＮＢでは、コアネットワーク１０６によって割り当てられたアドレスに基づいて、追加のトンネルを作成することができることが認識される。
【００２１】
さらに、アプリケーション層プロトコルは、アップストリームｅＮＢｓで終了することができる。したがって、例えば、中継ｅＮＢ１０８およびＵＥ１１０のアプリケーション層プロトコルは、中継ｅＮＢ１０４で終了することができ、中継ｅＮＢ１０４に対してドナーｅＮＢ１０２で同様に終了することができる。トランスポートとアプリケーション層プロトコルは、例えば、Ｓ１−Ｕ、Ｓ１−ＭＭＥおよび／またはＸ２インターフェースに関係する場合がある。Ｓ１−Ｕインターフェースは、ノードとコアネットワーク１０６の貢献するゲートウエイ（示されない）の間のデータプレーンで通信するために利用することができる。Ｓ１−ＭＭＥインターフェースは、ノードとコアネットワーク１０６のＭＭＥ（mobility management entity）（示されない）の間のコントロールプレーン通信（control plane communication）のために利用することができる。Ｘ２インターフェースは、ｅＮＢｓの間の通信のために利用することができる。さらに、例えば、ドナーｅＮＢ１０２は、アクセスネットワーク上の通信をその間で許可するために、他の中継ｅＮＢｓと通信することができる（例えば、中継ｅＮＢ１０４は、ドナーｅＮＢ１０２に接続された１以上の追加の中継ｅＮＢｓと通信することができる）。
【００２２】
今図２に変わって、無線ネットワーク受信地域を拡張し、処理能力および／または同様なものを増加するために、ＵＥ中継を使用することを促進する無線通信システム２００の例が、例証される。システム２００は、中継ｅＮＢ１０４（および／または他の中継ｅＮＢｓ）にコアネットワーク１０６へのアクセスを提供するドナーｅＮＢ１０２を含んでいる。さらに、記述されるように、中継ｅＮＢ１０４は、ドナーｅＮＢ１０２を通ってコアネットワーク１０６へのアクセスを備える中継ｅＮＢ１０８および／またはＵＥ１１０に提供することができる。さらに、一例において、中継ｅＮＢ１０８が、中継ｅＮＢ１０４のコンポーネントを含むことができ、同様の機能性を提供することができることは認識される。さらに、ドナーｅＮＢ１０２は、マクロセルアクセスポイント、フェムトセルアクセスポイント、ピコセルアクセスポイント、モバイル基地局および／または同様なものでありえる。記述されるように、中継ｅＮＢ１０４は、同様に、無線または有線バックホール上のドナーｅＮＢ１０２と通信するモバイルまたはステーショナリ中継ノードでありえる。
【００２３】
ドナーｅＮＢ１０２は、アップストリームノードと通信するバックホールリンクコンポーネント２０４およびコアネットワーク１０６へのアクセスを提供する中継ｅＮＢ１０４のように、それにアクセスを提供するコアネットワーク１０６の１つ以上のコンポーネントのように、１つ以上のダウンストリームノードと通信するアクセスリンクコンポーネント２０２を含んでいる。中継ｅＮＢ１０４は、ドナーｅＮＢ１０２を通ってコアネットワーク１０６へアクセスを提供する１つ以上のダウンストリームと通信するアクセスリンクコンポーネント２０６、および、コアネットワーク１０６にアクセスを提供するドナーｅＮＢと通信するバックホールリンクコンポーネント２０８を同様に含んでいる。さらに、中継ｅＮＢ１０４は、ネットワークアドレスに基づいたコアネットワーク１０６との通信トンネルを確立するンネリングコンポーネント２１２およびコアネットワーク１０６の１つ以上のコンポーネントから、ＩＰアドレスのような、ネットワークアドレスを得るアドレス受信コンポーネント２１０を含むことができる。 
例によれば、中継ｅＮＢ１０４は、コアネットワーク１０６へのアクセスを受け取るために、ドナーｅＮＢ１０２との通信を確立することができる。この例において、中継ｅＮＢ１０４は、そのバックホールリンクコンポーネント２０８上のドナーｅＮＢ１０２と通信することができる。それは、ドナーｅＮＢ１０２のアクセスリンクコンポーネント２０２への有線または無線リンクを提供することができる。一例において、バックホールリンクコンポーネント２０８は、（ＬＴＥエアーインターフェースのような）エアーインターフェースを使用して、ドナーｅＮＢ１０２と通信することができる。記述されるように、一例において、バックホールリンクは、ＬＴＥバックホールリンクになりえる。ドナーｅＮＢ１０２は、中継ｅＮＢ１０４のアクセスを求めるために、そのバックホールリンクコンポーネント２０４を使用して、コアネットワーク１０６と通信することができる。コアネットワーク１０６は、ＭＭＥ、ＰＣＲＦ（policy and charging rules function）、１つ以上のゲートウエイおよび／または同様なもののような、中継ｅＮＢ１０４を確証する／認可するために、１つ以上のコンポーネント（示されない）を含むことができる。コアネットワーク１０６、および／または、それの１つ以上のコンポーネントは、中継ｅＮＢ１０４にネットワークアドレスを割り当てて、バックホールリンクコンポーネント２０４上のドナーｅＮＢ１０２にアドレスを通信することができる。ドナーｅＮＢ１０２は、アクセスリンクコンポーネント２０２上の中継ｅＮＢ１０４へネットワークアドレス通信を転送することができる。また、バックホールリンクコンポーネント２０８は、通信を受けることができる。アドレス受信コンポーネント２１０は、ドナーｅＮＢ１０２によってコアネットワーク１０６との通信で使用される次の通信からアドレスを抽出することができる。一例において、これは、多数のドナーｅＮＢｓの間でシームレスに通信するために、中継ｅＮＢ１０４の可動性をサポートすることができる。
【００２４】
図３に変わって、ＵＥ中継機能性を提供する無線通信ネットワーク３００の例が描かれる。記述されるように、ネットワーク３００は、無線ネットワークへのアクセスを受け取るために、中継ｅＮＢ１０４と通信するＵＥ１１０を含んでいる。記述されるように、中継ｅＮＢ１０４は、無線ネットワークへのアクセスを提供するために、ドナーｅＮＢ１０２と通信し、ドナーｅＮＢ１０２は、ＳＧＷ３０４と通信することができる。それは、中継ｅＮＢ１０４と関係のある場合がある。ＳＧＷ３０４は、ＰＧＷ３０６に接続するまたはＰＧＷと結合することができる。それは、ＳＧＷ３０４および／または追加のＳＧＷへのネットワークアクセスを提供する。ＰＧＷ３０６は、ネットワークを使用する中継ｅＮＢ１０４を確証する／認可するために、ＰＣＲＦ３０８と通信することができる。それは、中継ｅＮＢ１０４にアドレシングを提供するために、ＩＰマルチサブシステム（ＩＭＳ）３１０を利用することができる。さらに、ＳＧＷ３０４は、ドナーｅＮＢ１０２によって中継ｅＮＢ１０４からの通信を促進するために、ＭＭＥ３０２に接続することができる。
【００２５】
例によれば、ＭＭＥ３０２、ＳＧＷ３０４および／またはＰＧＷ３０６は、クラスタ中の本質的にすべての中継ｅＮＢｓを担当するドナーｅＮＢ１０２と関係のある場合がある。ＵＥ１１０は、さらに関連するＳＧＷ３１６およびＰＧＷ３１８を有することができる。そこでは、ＰＧＷ３１８は、ＵＥ１１０にアドレシングを提供する。ＰＧＷ３０６は、そのようなアクセスを提供するために、ＳＧＷ３１６およびＰＧＷ３１８と通信することができる。さらにまたは代わりに、ＰＧＷ３１８は、ネットワークアクセスを提供するために、ＰＣＲＦ３０８および／またはインターネット３１２と通信することができる。さらに、例えば、ＳＧＷ３１６は、ＵＥ１１０からのコントロールプレーン通信を促進するために、ＭＭＥ３１４（それは、ＵＥ１１０と関係がある場合がある）と通信することができる。一例において、ＭＭＥ３０２およびＭＭＥ３１４が、同じＭＭＥになりえることが認識される。例えば、同様に、ＳＧＷ３０４およびＳＧＷ３１６は、同じＳＧＷになりえる。また、ＰＧＷ３０６およびＰＧＷ３１８は、同じＰＧＷになりえる。
【００２６】
例において、ＵＥ１１０は、記述されるように、Ｅ−ＵＴＲＡ−Ｕｕインターフェース上の中継ｅＮＢ１０４と通信することができる。また、中継ｅＮＢ１０４が、ドナーｅＮＢ１０２でＵＥのように機能するので、中継ｅＮＢ１０４は、Ｅ−ＵＴＲＡ−Ｕｕインターフェースを使用して、ドナーｅＮＢ１０２と通信することができる。ドナーｅＮＢ１０２は、描かれるように、Ｓ１−ＭＭＥインターフェース（例えば、ＳＧＷ３０４を介して）、Ｓ１−Ｕインターフェース上のＳＧＷ３０４およびＰＧＷ３０６を使用して、ＭＭＥ３０２と通信する。さらに、示されるように、ＭＭＥ３０２は、Ｓ１１インターフェースを使用して、ＳＧＷ３１６にＳＧＷ３０４およびＭＭＥ３１４と通信することができる。ＰＧＷ３０６および３１８は、Ｇｘインターフェース上のＰＣＲＦ３０８と通信することができる。さらに、ＰＣＲＦ３０８は、Ｒｘインターフェースを使用して、ＩＭＳ３１０と通信することができる。また、ＰＧＷ３１８は、ＳＧｉインターフェースを使用して、ＩＭＳ３１０および／またはインターネット３１２と通信することができる。
【００２７】
もちろん、当業者は、示された概念が、例えば、Ｗ−ＣＤＭＡ技術または他の技術を利用して、異なるシステムに等しく適用されてもよいことを即時の開示の考察で全体として理解するだろう。例えば、Ｗ−ＣＤＭＡエアーインターフェースを利用するＵＴＲＡネットワーク中で、ドナー基地局（つまり、ドナーＮｏｄｅＢ）は、無線ネットワークコントローラ（ＲＮＣ）のようなコアネットワークコンポーネントにつながれてもよい。ｃｄｍａ２０００、ＷｉＭＡＸなどのような他の技術の中で、ドナー基地局は、任意の適切なコアネットワークコンポーネントにつながれてもよい。
【００２８】
無線通信システムでは、低コストの中継は、個々の基地局からの資源必要条件のオフロードに対して、ホールまたは貧弱なサービスエリアへ拡張された通信エリア、セル分割ゲインによって増加されたキャパシティを望むかもしれない。中継は、一般に無線のバックホールを利用するが、中継は、異種のＵＥと基地局の無線資源を共有してもよい。この場合、中継が、バックホールリンクにＵＥ（またはいくつかのＵＥ）のように一般に動作し、ドナー基地局が担当するので、それは、真実のＵＥとこのドナー基地局を共有してもよい。さらに、中継が、多数のＵＥを担当する場合、バックホールは、これらのＵＥのためのユーザトラフィックを運ぶ。さらに、中継は、貧弱な通信地域があるかもしれないエリアをカバーするために置かれてもよいが、これは、中継で指向性アンテナとでさえ弱いバックホールリンクに帰着してもよい。
【００２９】
これらの問題の各々は、バックホールリンクの潜在的なボトルネックにより、ドナー基地局の潜在的な能力限界、中継が担当する任意のＵＥおよびバックホールに対する潜在の増加があるかもしれない。すなわち、中継からＵＥへのアクセスリンクが、非常によくても、バックホールリンクは、ボトルネックでもよい。また、ＵＥは、中継の代わりにＮｏｄｅＢによって直接担当される状態がさらに良くなる。したがって、中継または基地局が、ＵＥを直接担当するかどうかを決定する場合、現在の開示の種々の態様は、無線のバックホールリンクを考慮する。
【００３０】
基地局または中継と通信するかどうか、ＵＥは、典型的には、ハンドオフおよび貢献する（serving）セル変更を実行するかどうかを決定するような、目的に対するアクセスリンクの品質を測定し報告する。しかし、基地局のアクセスリンクが、この目的に対する適切な手段でもよいのだが、中継バックホールリンクの品質が、中継アクセスリンクに影響してもよいので、中継のアクセスリンクはなくてもよい。また、ハンドオフを決定する場合、この影響は、一般に考慮に入れられない。さらに、ＵＥは、バックホール品質を一般に直接測定することができない。それを主催する中継およびドナーｅＮＢだけが、バックホールリンクの品質を直接測定することができる。
【００３１】
したがって、開示の態様では、既存のシグナリングは、ＵＥへのバックホールリンクに関する情報を報告するために利用されてもよい。
【００３２】
すなわち、中継が、ＵＥを担当する（serve）場合、ハンドオフに対する適切な情報（しきい値または条件がネットワークに戻す報告を引き起こす、および、ＵＥがＲＡＬと関係するネットワークに報告する、ＵＥに通知するネットワークノードからの指示のように、）は、一般に中継を通り抜ける。さらに、中継は、一般に、無線ＢＨＬのそれ自身の測定のためにアクセスする。したがって、中継は、基地局へＵＥをハンドオフするかどうかの決定のための適切なすべての情報にアクセスしてもよい。
【００３３】
しかしながら、ＵＥが、現在基地局に担当され、ハンドオフから中継までの利益を得るであろう場合、これはそうではなくてもよい。ここで、ＵＥに対するＵＥ報告および指示は、中継によってではなく基地局を通ってもよい。しかし、中継のＢＨＬの測定は、その基地局または異なる基地局経由でネットワークに報告されてもよい。したがって、開示のさらなる態様では、より中央のネットワークノード（ＲＮＣ、ＨＳＰＡネットワーク中の他の適切なネットワークノード、またはＥＰＣの中の任意の適切なネットワークノードまたは他のネットワークのような）は、ハンドオフの決定に対して適切な情報を提供してもよい。
【００３４】
ＵＥが、一般に、ネットワークにアクセスリンク測定を報告するので、１つ以上のネットワークノードが、この情報にアクセスしてもよい。中継は、さらにネットワークに無線ＢＨＬの測定を報告してもよい。これらの報告は、干渉比が所定の信号を上回るパイロットチャネルを検知するような、または、所定量によって別の基地局のパイロットを超える１つの基地局のパイロットのような事象で、典型的に生成される。しかしながら、アクセスリンクおよびバックホールリンクに関する個別の報告に基づいたハンドオフ決定の決定は、問題がある可能性がある。すなわち、アクセスリンク報告は、一般に、バックホールを考慮せずに、アクセスリンク品質に基づいて引き起こされる。また、バックホール報告は、バックホールリンク品質のみに基づいて引き起こるだろう。
【００３５】
一般に、一旦他方が報告されると、１つまたは他の測定報告が、有効なまま維持されると、正確に判断する方法がないかもしれない。すなわち、中継だけでなく誤ったハンドオフ決定の可能性がある。周期的な報告が使用されても、オーバーヘッドは、著しく能力が低下するかもしれない。
【００３６】
したがって、開示の種々の態様に従って、事象報告は、中継へのハンドオフまたは中継からのハンドオフのいずれかに対するＵＥで決定されてもよい。そこでは、ＵＥ事象報告は、中継のＢＨＬを考慮に入れる。
【００３７】
基地局が、ＵＥを直接担当する場合、性能は、一般に、そのダイレクトアクセスリンクに対して、幾何学（geometry）、または信号対雑音および干渉比に依存する。対照的に、中継が、ＵＥを担当する場合、性能は、一般に、中継アクセスリンクＲＡＬに対する幾何学ＧＵＥＢＨＬおよび中継から仲介ノードへのバックホールリンクＢＨＬに対する幾何学ＧＲＢＨＬ（例えば、ドナー基地局）の両方に依存する。一般に、リンクの中で最も弱いものは、ボトルネックである。特に、２ホップ接続（two-hop connection）（つまり、図４に示されるような、ＵＥとドナー基地局の間の単一の中継）に関して、幾何学バウンディング性能Ｇは、２つの最小である。
【数１】
0005746221.tif 000002
【００３８】
ここで、幾何学は、リンクｌ（アンテナ）に対するノードｎ（ＵＥまたは中継）で熱雑音（thermal noise）を含んで、すべてのセルＩｏｃからの干渉の電力スペクトル密度の合計における参照セル送信電力スペクトル密度Ｉｏｒの合計の比として定義される。それは次のとおりである。
【数２】
0005746221.tif 000003
【００３９】
したがって、開示のいくつかの態様では、中継は、バックホールリンク（例えば、バックホールリンク幾何学ＧＲＢＨＬ）と関係する情報をＵＥに提供してもよい。その中継は、ドナー基地局のような仲介のノードおよび／またはネットワークノード経由で情報を送ることにより、中継アクセスリンクＲＡＬ上のＵＥに直接またはＵＥに間接的に、この情報を提供してもよい。その後、ＵＥは、バウンディング値Ｇを計算するために、かつ、事象報告を提供するべきかどうか判断する際にバウンディング値Ｇを順番に使用するために、この情報を利用してもよい。
【００４０】
中継が、ＲＮＣに似ている上部の層上で通信することができる場合、ＲＡＬ上のＵＥへの直接信号伝達は、簡略化することができる。しかしながら、低層のみの場合でさえ、中継は、低層の表示（例えば、コントロールチャンネルまたはパンク）または間接的に（例えば、ＲＮＣ、基地局または別の適切なネットワークノードによって）示してもよい。
【００４１】
問題となっているリンクに多数の中継がある（つまり、２以上のホップ）場合、各中継は、バウンディング計算を行ってもよいし、最小の幾何学がＵＥに伝搬するように、バウンディング値をともに通してもよい。したがって、エンドバウンド（end bound）は、最低限のリンクすべてである。例えば、中継１および２による３つのホップ（ｍ＝３）接続については、我々は次を有する。
【数３】
0005746221.tif 000004
【００４２】
しかしながら、これは、中継からＵＥまでバックホール幾何学（またはパイロットチャンネルＥｃ／Ｉｏ、または、受信信号強度、またはパス損失）を送ることを新しいシグナリングに要求してもよい。また、これは、ＵＥに透過的でなくてもよい。したがって、開示の別の態様では、中継アクセスリンクＲＡＬのパイロットパワーのＵＥ測定が、バックホールリンクＢＨＬに依存して上昇または下降のいずれかでバイアスされるように、中継は、そのパイロットパワー（オーバヘッド比）を調整してもよい。例えば、中継は、予期されたバックホールボトルネックに比例したそのパイロットパワーを低下させることができる。しかしながら、これは、中継の受信地域に影響してもよく、（例えば、最小の計算のために）ＵＥによる新しいオペレーションを要求してもよい。
【００４３】
ＵＥおよび非中継ノードのより透過的な開示の別の態様は、中継からＵＥへパラメータを転送するネットワークインフラまで補償パラメータを送ることを含んでいる。ここで、ＵＥは、ハンドオフ決定を償う。
【００４４】
図４で描かれるように、ＵＥ４０２は、１つ以上の基地局４０６、４０８へのアクセスリンクと同様に、１つ以上の中継４０４へのアクセスリンクを直接測定してもよい。さらに、中継４０４は、１つ以上の異種の基地局４０８からのパイロットと同様に、中継４０４を担当する基地局４０６へのバックホールリンクを測定してもよい。ここで、中継４０４は、中継のバックホールリンクを直接考慮することと等しい結果を得るために、ＵＥ４０２が、中継４０４へのアクセスリンクのＵＥの測定をどのように償わなければならないか決めてもよい。基地局パイロットのような他のファクタとの補償を組み合わせることが、パワーオフセットに送信する後、それがシグナリングによってＵＥに潜在的に通信される場合、補償は、インフラストラクチャと通信してもよい。
【００４５】
開示のいくつかの態様では、中継４０４は、そのアクセスリンクを測定する場合に、適用するＵＥ４０２に対するバイアスβとしてバックホールリンクに対する補償を決定してもよい。すなわち、中継が制限のあるバックホールリンクを有する場合、または、中継が高いロードを有する場合、ＵＥは、中継に対してバイアスされてもよい。または、バックホールリンクがよい場合、または、中継が小さなロードを有する場合、ＵＥは、中継の方へバイアスをかけてもよい。
【００４６】
キャリア寸法のある単一のキャリア中継設計では、バックホールリンクのダウンリンクおよびアップリンクが、１つのキャリア（周波数ペア（frequency pair））であり、アクセスリンクのダウンリンクおよびアップリンクが、別のキャリア（周波数ペア）であり、しかし、両方は、単一のキャリアである。中継４０４は、（例えば、ドナー基地局４０６上のパイロットパワーオーバーヘッドに基づいた）目標基準値に関するドナー基地局４０６からのパイロットの強度の検討により、補償を決定してもよい。ｄＢでパワーのパイロット部分が、ＰｒｅｆＢＨＬによって表される場合、ＢＨＬの中継の測定（例えば、雑音および干渉比またはＥｃ／Ｉｏへの信号のエネルギー）は、ＭＲＢＨＬによって表される。したがって、バイアスβは、次のように決定されてもよい。
【数４】
0005746221.tif 000005
【００４７】
例えば、ドナー基地局のセルパワーの１０％が、パイロットに割り付けられる場合、ＰｒｅｆＢＨＬ＝−１０ｄＢである。中継が、ＭＲＢＨＬ＝−１３ｄＢとしてバックホールの上のパイロットを測定する場合、β＝−３ｄＢである。
【００４８】
シナリオでは、アクセスリンク上の中継パイロットが、初期の検知のためのドナー基地局に関連するＰｒｅｆＲＡＬ＝−７ｄＢによってブーストされる。ブーストされたバイアスβ’は、次のように決定されてもよい。
【数５】
0005746221.tif 000006
【００４９】
したがって、ブーストされたバイアスβ’は、中継のノードパイロットパワーから独立していてもよい。また、中継は、その基準値を知る必要がなくてもよい。上記の例として、β’＝−１３ｄＢ−（−７ｄＢ）＝−６ｄＢ。
【００５０】
図５は、ＵＥ測定に対するバイアスβの決定および報告する中継５０４を例証するコールフローチャートである。ブロック５１０では、中継５０４は、中継５０４とドナー基地局５０６の間のＢＨＬ特性を決定する。例えば、中継５０４は、ＢＨＬのパイロットパワーを直接測定してもよい。さらに、中継５０４は、例えば、いくつのＵＥがドナー基地局５０６に担当されるかを決めることによって、ドナー基地局５０６のロードを観察してもよい。中継５０４は、さらに中継５０４とＵＥ５０２の間のＲＡＬの１つ以上の特性を決定してもよい。例えば、中継５０４は、アップリンクチャンネル上のＵＥ５０２によって提供され、中継５０４によってアクセス可能な、ＵＥ５０２によって得られたチャネル品質情報をアクセスしてもよい。中継５０４は、例えば、中継５０４が現在または最近のヒストリを担当しているＵＥの数および／または中継５０４を通るトラフィックの量に関係して、中継５０４のロードの特性を決定する。ここで、中継５０４は、バイアスβを決定するために、これおよび／または他の適切な情報を利用してもよい。
【００５１】
開示の種々の態様の中で、ブロック５１２に例証されるように、バイアスβの決定では、中継は、ＵＥ５０２にバイアスβを直接（１）、ドナー基地局５０６（２）経由でまたはネットワークノード５０８（３）経由で、供給してもよい。バイアスβは、新しい情報エレメントとしてＵＥ５０２に直接提供されてもよいし、または、ＣＩＯに代わるような既に指定されていたチャンネルの既存の変数の形で提供されてもよい。
【００５２】
オプション（１）、中継５０４が、ＵＥ５０２にバイアスβを直接供給するところで、中継５０４が、ＵＥ５０２に対する予備の担当するセルである場合、利用されてもよいし、ＵＥ５０２は、ドナー基地局５０６または他のある異種の基地局へのハンドオフを考慮している。ここで、それは、このシグナリングに気づいているドナー基地局５０６またはネットワークノード５０８に対して必要ではないかもしれない。オプション（２）、中継５０４が、ドナー基地局５０６（したがって、それは、ＵＥ５０２にそれを供給する）にバイアスβを供給するところで、ドナー基地局５０６が、ＵＥ５０２のための予備の担当するセルである場合、利用されてもよいし、ＵＥ５０２は、中継５０４へのハンドオフを考慮している。オプション（３）、中継５０４が、ネットワークノード５０８（したがって、それは、ＵＥ５０２にそれを供給する）にバイアスβを供給するところで、ある他のもの、ドナー基地局５０６以外の異種の基地局が、ＵＥ５０２に対する予備の担当するセルである場合、利用されてもよく、ＵＥ５０２は、中継５０４へのハンドオフを考慮している。または、ドナー基地局５０６が、ＵＥ５０２を担当する場合、オプション（３）は利用されてもよい。また、ＵＥ５０２は、中継５０４へのハンドオフを考慮している。
【００５３】
中継５０４が、ネットワークノード５０８経由でＵＥにバイアスβを供給する場合、バイアスβは、ドナー基地局５０６へ一般に透過な方法でＵＥ５０２にレイヤ３メッセージとして送られる測定管理または指示に含まれてもよい（３）。ここで、ＵＥ５０２は、それらの測定管理または指示、（中継５０４を含む）基地局のリストおよび中継５０４用のバイアス（またはバイアス）βを受け取ってもよい。
【００５４】
ブロック５１４では、ＵＥは、中継５０４とＵＥ５０２の間のＲＡＬの１つ以上の特性を測定してもよい。ここで、ブロック５１６に例証されるように、ＲＡＬ特性を測定する場合、ＵＥ５０２は、それが測定しているアクセスリンクが中継からであることを知らないかもしれないが、ＵＥ５０２は、それが中継５０４に行う測定にバイアスβを適用してもよい。中継５０４が、ネットワークノード５０８経由でＵＥにバイアスβを供給する場合（３）、ネットワークノード５０８からのメッセージが、ドナー基地局５０６以外の１つ以上の異種の基地局経由でＵＥ５０２に達してもよいので、中継５０４が、現在ＵＥ５０２を担当しているかどうかは重要ではない。
【００５５】
さらに、ブロック５１６では、ＵＥ５０２が、中継のバイアスされた測定報告が条件（例えば、ＲＡＬのバイアスされた測定は、所定の時間の量によって基地局のアクセスリンク品質を超える、またはしきい値、または他の適切な比較を超える）を満たす条件を報告するように、測定管理または指示がトリガを構成してもよい。ＵＥが、条件を検知する場合、それは、ネットワークノード５０８への事象の報告５１８を引き起こし送ってもよい。それは、報告された情報に基づいた貢献するセル変更またはハンドオフを決定してもよい。これを考慮に入れていることを知っているＵＥ５０２のないバックホールリンクＢＨＬの品質を考慮に入れるので、この報告は、タイムリーである。すなわち、ＵＥ５０２は、そのために、基地局へのよくあるアクセスリンクのように見える中継アクセスリンクＲＡＬにバイアスβを単に適用してもよい。
【００５６】
図６は、図５に関して上で議論されるような同様のシナリオを例証するコールフローチャートである。しかし、ここで、中継６０４は、追加の機能を実行する。すなわち、ブロック６１０では、ＵＥ６０２が、ドナー基地局６０６のような基地局と中継６０４の間のハンドオフを受けるかどうか判断するために、それが、ＢＨＬに関して決定した情報および（中継６０４またはＵＥ６０２のどちらかによって測定された）ＲＡＬに関して決定された情報を、ネットワークノードではなく、中継６０４が、利用する。
【００５７】
開示の種々の態様に従って、いくつかの無線通信基準の中で既に提供されている情報エレメントは、例えば、バイアスβを表す、変更された目的で利用されてもよい。例えば、Ｗ−ＣＤＭＡエアーインターフェースを利用するＵＴＲＡネットワークでは、セル個別オフセット（ＣＩＯ）は、ＵＥによってあるハンドオフの事象の計算で利用されたパラメータである。ＣＩＯは、セルに特有で、指定されるように正又は負になりえる。もちろん、当業者は、その他、同様のパラメータが、同様の方法でバイアスβを運ぶために利用される他の基準に使用されてもよいことを、理解するだろう。
【００５８】
開示のいくつかの態様では、中継からＵＥまで送られた補償要因またはバイアスβは、ＢＨＬの考慮の影響を制限してもよい範囲［βｍｉｎ、βｍａｘ］内に制限されてもよい。例えば、特定の中継Ｒに対するＣＩＯは、次のように表されてもよい。
【数６】
0005746221.tif 000007
【００５９】
上限および下限は、同じ大きさまたは同等かもしれないが、一般に、これは必要ではない。すなわち、一般に、もし中継パイロットパワー部分が、仲介のノード（基地局）パイロットパワー部分ほど低くなければ、バイアスβは、中継に使用されないだろう。下限は、バックホール影響のため、中継に対するバイアスを制限する。しかしながら、上限は、パイロットパワーオフセットのため、中継に対するバイアスを制限する。したがって、これらの境界は、異なってもよい。
【００６０】
より低い測定が典型的により不確かであるので、低いパイロットＳＩＮＲ（Ｅｃ／Ｉｏ）測定で上昇するバイアスをかけることは、高いパイロットＳＩＮＲ（Ｅｃ／Ｉｏ）測定で下降するバイアスをかけることより問題があるかもしれない。したがって、開示のいくつかの態様では、上昇するバイアスは、もっと抑制されるまたは０（上昇バイアスはない）までさらに制限されてもよい。例えば、許可された範囲は、［−３ｄＢ、０ｄＢ］でもよい。上限を計算する１つの方法は、次のとおりである。
【数７】
0005746221.tif 000008
【００６１】
ここで、ＭｍｉｎＲＡＬは、最小の信頼できるＲＡＬ  ＳＩＮＲ（例えば、Ｅｃ／Ｉｏ＝−１６ｄＢ）である。ＭＨ／ＯＤＡＬは、所望のＵＥハンドオフ境界（例えば、−１６ｄＢ）での予期されたダイレクトアクセスリンクＳＩＮＲである。
【００６２】
一旦、中継が、（直接またはネットワークを通って）ＵＥにバイアスβを伝えれば、ＵＥは、ハンドオフ事象報告を決定してもよい。開示の態様では、そのバイアスβは、バイアスβを決定した中継に対するＣＩＯでもよい。すなわち、ＵＥは、ＭＵＥＲＡＬとして、ＲＡＬパイロットを測定してもよく、バイアスされた大きさ（measurement）を得るために、提供されるバイアスＣＩＯＲ（例えば、βまたはβ’）を適用してもよい。
【数８】
0005746221.tif 000009
【００６３】
ここで、ＵＥが、ＭＵＥＲＡＬ＝−７ｄＢとして、中継アクセスリンクパイロットを測定する場合、バイアスされた大きさは、Ｍ＾ＵＥＲＡＬ＝−１３ｄＢである。
【００６４】
ＵＥは、さらにドナー基地局以外の異種の基地局とのダイレクトアクセスリンク、または別の中継のアクセスリンクを測定し、ハンドオフ事象が生じたかどうか判断するために、中継のバイアスされた大きさと比較してもよい。例えば、ＵＥは、ＭＵＥＤＡＬ＝−１５ｄＢとして、異種の基地局のダイレクトアクセスリンクを測定すると仮定する。一例によれば、ＵＥは、ハンドオフ事象が生じるかどうか判断するために、以下のように比較してもよい。
【数９】
0005746221.tif 000010
【００６５】
ここで、Ｈは、あるセルから別のセルへのピンポンハンドオフ（ping-ponging handoff）をＵＥが防ぐヒステリシス値である。ＣＩＯＭは、仲介マクロセル（例えば、ＣＩＯＭ＝０）に対するＣＩＯである。中継にバイアスを適用するように、他のセルに反対のバイアスを適用することが同等であることに留意する。例えば、ＣＩＯＭ＝−β、ＣＩＯＲ＝０である。
【００６６】
ＵＥは、異種の基地局に現在担当されると仮定し、Ｈ＝０ｄＢと仮定する。ＵＥの比較は、中継が今最良のセルであることを示して、右辺（right hand side）未満の２ｄＢの左辺（left-hand side）を与える。また、ＵＥは、ハンドオフが望まれるかもしれないネットワークに通知するために、事象報告を引き起こしてもよい。ネットワークは、その貢献セルを中継に切り替えることをＵＥに命じてもよい。ＵＥは、ＲＡＬとＢＨＬの１つの代わりに、２つの無線通信リンクを横切って担当される。ここで、ＲＡＬは、強いが、ボトルネックは、恐らくＢＨＬである。非常に有効に、（十分な知識を有する）ハンドオフ見込み（perspective）からのトレードオフは、バックホール（ＭＲＢＨＬ＝−１３ｄＢ）と異種の基地局ダイレクトアクセスリンク（ＭＵＥＤＡＬ＝−１５ｄＢ）の間である。したがって、たとえＵＥにそのような十分な知識がなくても、正確なアクションは取られる。
【００６７】
中継を担当する場合（典型的に、ヒステリシスは、現在の貢献セルに適用され、右辺のようになるでしょう）、ＵＥは、同じ比較を行うことができる。その後、右辺が左辺以下に下がる場合、ハンドオフの事象は、中継からその測定が条件を引き起こしたノードまでハンドオフの動機づけを示して引き起こされるだろう。
【００６８】
開示の別の態様では、ＵＥは、バイアスされた中継大きさを、追加または低下のしきい値（ＵＥが柔軟なハンドオフであるアクティブセットまたはセルのセットからセルを追加又は減少する場合のような）と比較してもよい。セル測定の重み付けされた合計と比較するような代案も、開示のいくつかの態様の中で使用されてもよい。
【００６９】
図７は、開示の態様に従ってバイアスの適応を例証するグラフである。ＵＥの報告されたアクセスリンク測定の観察によって、中継または他のネットワークエレメントは、中継で維持またはハンドオフするために、ＵＥに対して価値があるように、それに対して最小でオフセット（バイアスβ）をどれだけ適用すべきであるか決めることができる。すなわち、ＵＥに対してセルＡを好むためには、以下の通りである。
【数１０】
0005746221.tif 000011
【００７０】
具体的には、ＣＩＯは、以下のように計算することができる。ＵＥが、最良の担当するセル変更された（つまり、別のセルが現在の担当するセルよりよい）報告を引き起こす場合、引き起こされた測定が通信される。例えば、図７で示されるように、ポイント７０２では、ＲＡＬの測定は、ダイレクト基地局アクセスリンクＤＡＬのそれを超える。この時に、ＢＨＬ測定も行われてもよい（例えば、中継によって）。測定されたセルのうちの１つが、実際に中継である場合、これらのセルの測定およびＢＨＬ測定のどちらかの間の違いは、最小のバイアスを反映する。一旦このバイアスがＵＥに送られ、ＵＥが、（一連の点線の下へ向かって例証された）それらのバイアスを使用して新しい報告を生成すれば、ポイント７０４で例証されるように、バイアスは、違いが０になるまで、増加することができる。また、ＵＥ報告の時の測定は、ＢＨＬ測定に相当する。
【００７１】
開示のさらなる態様では、ＢＨＬに関係のある情報を含んでいる中継からの報告は、ＢＨＬのロードを考慮に入れてもよい。ＢＨＬのロードは、基地局上のロードと同じではない。しかし、むしろ、それは、中継が既に担当しているＵＥに対するトラフィックに依存する。これをするために、ＢＨＬ品質は、スループット（または割合）等価物に変換することができる、または、それの部分的に依存する。ロードの影響は、別のＵＥに対する潜在的な割合を得るために、スループット等価物から引くことができる。これは、品質等価物に変換することができる。バイアス（オフセット）は、これと中継／基地局サービスエリアの端（つまり、ハンドオフポイント）にある基地局アクセスリンク品質の間の差に基づいて、計算することができる。したがって、ＵＥが、基地局アクセスリンク測定にバイアス（ＣＩＯ）を加える場合、または、中継アクセスリンク測定からバイアス（ＣＩＯ）を引く場合、基地局および中継ノード品質比較は、所望のハンドオーバポイントで等しくなる。変換を行う簡略化された方法は、Ｅｃ／Ｉｏを使用してＥｂ／Ｎｔを概算し、所望のエラー率が与えられた達成可能なビットレートへＥｂ／Ｎｔを変換してもよく、その方法と同様に、従来のＵＥは、チャンネル品質インジケータ（ＣＱＩ）を計算するために使用してもよい。
【００７２】
さらに、バイアスが、中継またはネットワークノードによって知られまたは制御されてもよいので、ロードまたはバックホールリンク品質が変化するときに、新しい値にバイアスを適合させるべきかどうか判断する場合、バイアスの現在値は、考慮に入れられてもよい。したがって、開示のいくつかの態様では、方法は、適応性のあるモードに適用することができる。ここで、バイアスは、所望の（または最適な）ハンドオフポイントを達成するのに適している。例えば、バイアスは、ハンドオフポイントが達成されるかどうかに依存して；または、バックホールリンク品質の変化として；または、ホスト基地局または近くのセル上のロードの変化；またはバックホール上のロードの変化として、（インクリメントまたはステップで）増加および減少される場合がある。
【００７３】
非ＦＤＤ（キャリア測定された）中継方式で、すなわち、中継および非中継ノードが周波数またはキャリアを共有するところで、これらのノード間の障害を境界（ハンドオフポイント）でＳＩＮＲ（Ｅｃ／Ｉｏ）基準値に低下させてもよいことを、バイアスβは考慮に入れてもよい。すなわち、ボトルネックは、バックホールほど頻繁ではないかもしれない。したがって、負バイアスは、これを説明するために、和らげられ（減少され）てもよい。
【００７４】
考慮すべき別の要因は、バックホールリンク帯域幅である。新規のユーザに利用可能な中継のバックホールリンク帯域幅は、それが担当している他のユーザにより抑制されてもよい。例えば、Ｎ  ＵＥを担当する中継は、各ＵＥに利用可能なバックホール帯域幅の分数（fraction）１／Ｎを単に有することが可能であり、したがって、分数（ｄＢ）のような追加のバイアスを適用してもよい。しかしながら、開示のいくつかの態様では、中継が、それが担当するＵＥに対して１つのＵＥとして働いてもよいので、バックホールリンク帯域幅は、考慮されない。したがって、バックホールの上の帯域幅の合計は、ＵＥの数で測定してもよい。しかしながら、中継が、デュプレクシング（例えば、時分割デュプレックス）またはより少数キャリアのようなファクタによって帯域幅のより小さな分数を有する場合、それは、スケジューリングにより計測可能ではない可能性があるので、この分数は、バイアスからなるべきである。
【００７５】
中継の受信地域と他のノードの間のセル境界での幾何学差は、他のセルのどの受信地域が特定の位置で中継の受信地域に接するかに依存して変わってもよい。例えば、中継幾何学は、第１のマクロセルＡと接するセル境界で比較的良いが、第２のマクロセルＢと接するセル境界で比較的悪いかもしれません。この場合、中継へまたは中継からのハンドオフを考慮している第２のセルＢを備えた境界上のユーザに対するバイアス不使用を動機づけとして、バックホールリンクの幾何学は、第１のセルＡとの比較に関してのみボトルネックであってもよい。したがって、中継は、ＵＥの現在の担当するセルに依存して、バイアスを決定してもよい。中継は、ネットワークへこれらのバイアスを全て送ってもよい。ネットワークが、各ＵＥの現在の担当するセルを知っているので、それは、ＵＥに適切なバイアスを送ってもよい。
【００７６】
または、バイアスは、ＲＡＬではなくＵＥによって、非中継ノードとのアクセスリンクに適用することができる。したがって、多数のバイアスは、ＵＥに送られてもよい。しかし、ＵＥは、中継がどのノードと比較されているかに依存して、特定のバイアスを使用してもよい。
【００７７】
開示のさらなる態様では、中継は、ＵＥにリクエストを提供してもよい。または、ＵＥは、ドナー基地局からのリンクの態様を測定するために中継に、リクエストを提供してもよい。例えば、その中継は、ドナー基地局とＵＥの間のダイレクトアクセスリンクＤＡＬを測定し、かつ中継にこの情報を提供することをＵＥに要求してもよい。または、ＵＥは、ＢＨＬを測定し、かつＵＥにこの情報を提供することを中継に要求してもよい。このように、ＵＥおよび／または中継は、それ自身の測定に関する別の見解を得て、ドナー基地局から送信されたチャンネルの２つの測定を実際に比較することができる。すなわち、両方の測定は、同じ発信機、つまり、ドナー基地局からの送信の測定である。したがって、中継は、その代わりに、測定を行うＵＥをコントロールするための方法を利用してもよい。その結果、それは、ＵＥにバイアスをかける方法に関する集められまたは結合された決定を下すことができる。
【００７８】
ＢＨＬとＲＡＬが同じキャリア／周波数を共有する時、ＵＥが、中継を担当する基地局とのＲＡＬおよびダイレクトアクセスリンクＤＡＬの両方を同時にモニタすることができる可能性があることが理解されるだろう。ここで、中継は、バイアスを計算する際にＵＥに対する比較可能なロードを確認することができてもよい。例えば、ＵＥによって測定されるような受信されたＤＡＬのオーバーヘッドパワーは、中継によって測定されるようなＢＨＬのオーバーヘッドパワーと比較されてもよい。さらに、ＤＡＬスロット利用は、ＵＥによって決定されるように、ＢＨＬスロット利用と比較されてもよい。これらの比較は、バイアスβの計算中の追加の精度のために利用されてもよい。
【００７９】
さらに、そのような別の見解は、それが、別のもの、ドナー基地局以外の異種の基地局であっても、得られる可能性がある。すなわち、ＵＥは、異種の基地局からの送信の態様を測定することができた。また、中継は、同じ異種の基地局からの送信の態様を測定することができた。ここで、中継は、そのドナー基地局に向けた指向性アンテナを有してもよい。したがって、違った異種の基地局からの送信の測定は、弱められてもよい。それにもかかわらず、中継は、さらに、ハンドオフ決定を通知する追加情報を提供するために、異種の基地局からリンクを受信することができてもよい。
【００８０】
開示のいくつかの態様では、ＵＥがハンドオフを受けるべきかどうかの決定は、ハンドオフの方向に依存して異なるネットワークエンティティで行われてもよい。例えば、ＲＮＣのような適切なネットワークノードが、基地局から中継までのハンドオフが行われるべきかどうかを判断してもよく、またはその逆も正しい一方、中継は、中継からのハンドオフが行われるべきかどうかを判断してもよい。これらの決定は、ＵＥが、ノード間の前後にはね返る場合（例えば、ピンポン効果（ping-pong effect））にそれほど積極的に適用せず、そうでなければより積極的に適用される。しかしながら、集中したハンドオーバポイントが移動しないように、その適用は、バランスのとれたステップで作られてもよい。
【００８１】
開示のいくつかの態様では、中継がＵＥを担当している場合、中継は、ネットワーク上へそれらを進める前にＵＥの測定報告を調整してもよいか、または、さらにＵＥの測定報告をブロックしてもよいし、ＵＥからの報告のないＵＥに代わって報告を生成してもよい。言い換えれば、中継は、それ自身のＢＨＬ測定を考慮してＵＥ報告を選択的に修正してもよい。さらに、中継は、ＢＨＬによってネットワークノードへ場合によっては修正済の報告を選択的に転送してもよい。このように、ネットワークノードが、それが受け取る報告がＵＥから来たという結果の下に一般的であるので、ネットワークノードは、修正を要求しなくてもよい。
【００８２】
開示のさらなる態様では、上に記述された概念は、異なるシステム（例えば、フェムトセルアクセスポイントを利用するもの）に適用されてもよい。すなわち、開示のいくつかの態様では、用語「中継」の使用は、フェムトセルアクセスポイントを指してもよい。ここで、フェムトセルは、基地局として働き、典型的には、インターネットを利用するコアネットワークにＵＥを接続するために、バックホールとしてＤＳＬまたはケーブルモデムの接続を利用するノードである。この例では、コアネットワークへのバックホール接続は、有線、無線、または２つのコンビネーションでもよい。ここで、上に記述された中継とほとんど同じ方法で、バックホールリンク（例えば、ＤＳＬまたはケーブルモデム）は、ＵＥとコアネットワークの間の通信でのボトルネックであってもよい。したがって、フェムトセルは、上に記述した中継とほとんど同じ方法で、作用してもよい。また、ＵＥは、バックホールリンクの特性に従って、フェムトセルへのアクセスリンクのその測定にバイアスをかけてもよい。
【００８３】
図８および９は、開示のいくつかの態様に従ってバイアスを決定し利用する典型的なプロセスを例証するフローチャートである。開示された方法のステップの特定の順序（order）または序列（hierarchy）が、典型的なプロセスの実例であることは理解される。設計プレファレンスに基づいて、方法のステップの特定の順序または序列が再整理されてもよいことは理解される。添付の請求項は、実例順で様々なステップの現在のエレメントが要求され、そこに明確に列挙されていないならば、示された特定の順序または序列に限定されることは意図しない。
【００８４】
図８では、中継によって一般に行われる典型的なプロセスが例証される。開示のいくつかの態様では、プロセスは、図１０（下記に述べられた）で例証された中継／基地局１０１０、および／または、図１１（下記に述べられた）で示された処理システム１１１４によって実行されてもよい。他の態様では、プロセスは、無線通信システムで任意の適切なノードによって実行されてもよい。ブロック８０２では、プロセスは、中継とドナー基地局の間のバックホールリンクＢＨＬを確立する。ＢＨＬは、有線または無線のバックホールリンクでもよい。また、中継は、上に記述されるような任意の適切な中継でもよい。ブロック８０４では、プロセスは、中継とドナー基地局の間のＢＨＬ特性を決定する。ここで、特性は、リンクの品質を参照してもよい。品質は、バックホールリンクの幾何学ＧＲＢＨＬ、ＢＨＬロード情報、ＢＨＬの帯域幅、ＢＨＬのパイロットチャネルの雑音および干渉比、決定しているバイアスで担当する任意の他の適切な特性を含んでもよい。
【００８５】
オプションのブロック８０６では、中継は、ドナー基地局とＵＥの間のＤＡＬ、または、ドナー基地局以外の異種の基地局とＵＥの間のＤＡＬの特性を測定することを、ＵＥに要求してもよい。このように、バイアスの計算は、ＵＥによって決定されたＤＡＬの特性および中継によって決定されたＢＨＬ特性の比較に対応してもよい。すなわち、オプションのブロック８０８では、中継は、バイアスβを計算するために、ＢＨＬ特性およびＤＡＬの特性の比較をなしてもよい。
【００８６】
ブロック８１０では、バイアスβが決定される。いくつかの態様で、上に議論されるように、バイアスβは、ＵＥと中継、ドナー基地局またはドナー基地局以外の別の基地局の少なくとも１つの間のＲＡＬの測定に適用されるオフセットを表すために使用されてもよい。さらに、ＵＥが、中継とＵＥの間の中継アクセスリンクＲＡＬの測定に基づいた事象報告を提供するべきかどうかを考える場合に、バイアスβは、ＵＥによって利用されるように適合してもよい。
【００８７】
オプションのブロック８１２では、プロセスは、バイアスに従うＲＡＬのＵＥ報告が、ＢＨＬの品質に対応して変えられるように、バイアスβを適合させてもよい。開示の別の態様では、ＲＡＬの前の測定によって決定されるように、ＢＨＬの品質が、ＲＡＬの品質に相当する場合、バイアスβは、ハンドオフ事象が引き起こされるように適応させてもよい。 
ブロック８１４では、プロセスは、バイアスβとともに、ＵＥに、測定トリガまたは報告リクエストを提供する。ここで、バイアスβは、セル個別オフセットＣＩＯの形式でＵＥに提供されてもよい。ＵＥへのバイアスβの提供は、中継とＵＥの間のＲＡＬに関する中継からＵＥに直接情報を送信することによって；ドナー基地局とＵＥの間のＤＡＬに関するＵＥに提供するように、中継からＢＨＬ上のドナー基地局に情報を送信することによって；または、ネットワークノードとＵＥの間のリンクに関するＵＥに提供されるように、中継からネットワークノード（例えば、ＲＮＣ）に情報を送信することによって、遂行されてもよい。ネットワークノードとＵＥの間のリンクは、ドナー基地局またはドナー基地局以外の異種の基地局のいずれかとＵＥの間のダウンリンクを含んでもよい。
【００８８】
ブロック８１６で、ＵＥが、測定報告メッセージを送ることに値する事象が生じたと判断する場合、中継は、トリガ事象が生じたことを示す測定報告メッセージを受け取る。ここで、トリガ事象が生じたかどうかの判断は、中継によって決定されたバイアスに従って、ＵＥによってなされたバイアスされた大きさに基づく。ブロック８１８では、プロセスは、受信した測定報告の少なくとも部分的に基づいて、ハンドオフを行うべきかどうか判断する。ここで、ハンドオフを行うべきかどうかの決定は、中継によって必ずしも行われなくてもよい。しかし、開示のいくつかの態様では、ネットワークノードまたはＵＥ自身でも、決定をなしてもよい。
【００８９】
図９は、ＵＥによって行われてもよいプロセスを例証して、開示の別の態様を例示するフローチャートである。例えば、いくつかの態様では、プロセスは、図１０（下記に述べられた）で例証されたＵＥ１０５０によって実行されてもよく、および／または、プロセスは、図１１（下記に述べられた）で例証された処理システム１１１４によって実行されてもよい。他の態様では、プロセスは、無線通信システムで任意の適切なノードによって実行されてもよい。
【００９０】
オプションのブロック９０２では、中継を担当するドナー基地局とＵＥの間のダイレクトアクセスリンクＤＡＬの特性を測定するために、ＵＥは、中継からリクエストを受け取ってもよい。このように、ＤＡＬの特性が、中継に提供される場合、中継は、バイアスβを決定するために、ドナー基地局からのアクセスリンクの多数の測定を（つまり、ドナー基地局と中継の間のバックホールリンクＢＨＬに加えて）利用することができる。ブロック９０４では、ＵＥは、ＤＡＬの特性を測定する。オプションのブロック９０６では、上に議論されるように、バイアスβの決定における利用のために、ＵＥは、中継にＤＡＬの測定された特性を提供してもよい。
【００９１】
ブロック９０８では、バイアスβは、中継から受け取られる。バイアスβは、中継から直接、または、中継を担当するドナー基地局、または別のもの、ドナー基地局以外の異種の基地局のような媒体を経由して、受け取られてもよい。さらに、バイアスβは、セル個別オフセット（ＣＩＯ）の形式で、または、任意の適切なメッセージフォーマットで、受け取られてもよい。
【００９２】
ブロック９１０では、中継とＵＥの間の中継アクセスリンクＲＡＬ特性が、決定される。開示のいくつかの態様では、ＲＡＬ特性は、ＵＥによって決定されてもよい。しかし、上に記述されるように、特性は、代わりに、中継によって決定してもよく、ＵＥへ転送してもよい。開示の他の態様では、中継とＵＥの両方は、ＲＡＬの適切な特性を決定してもよい。また、中継またはＵＥのいずれかは、改善された決定に対して、２つの特性の比較をなしてもよい。ＲＡＬ特性は、ＲＡＬの品質（例えば、信号電力、雑音および干渉比の信号、または、事象報告を決定するために利用されるＲＡＬの任意の適切な特性）の測定でもよい。
【００９３】
ブロック９１２では、バイアスβは、ブロック９０４で決定されたＲＡＬ特性に基づいた測定報告のトリガの考察に組み込まれる。すなわち、事象の考察は、ＲＡＬ特性およびＢＨＬ特性に少なくとも部分的に依存する。ここで、考察は、例えば、どの基地局（つまり、中継またはドナー基地局）が、担当するセルとしてより望ましいかについて決定するために、ドナー基地局とＵＥの間のＤＡＬ特性とＲＡＬ特性を比較することを含んでもよい。ＲＡＬとＤＡＬの比較は、次の不等式の決定によりなされてもよい。
【数１１】
0005746221.tif 000012
【００９４】
ここで、ＭＵＥＤＡＬは、ＵＥによるＤＡＬの測定値である。ＣＩＯＭは、ＭＵＥＤＡＬをオフセットするためのセル個別オフセットである。Ｈは、ヒステリシス値である。ＭＵＥＲＡＬは、ＵＥによるＲＡＬの測定値である。ＣＩＯＲは、ＭＵＥＲＡＬをオフセットするためのセル個別オフセットである。さらに、ＣＩＯＭまたはＣＩＯＲの少なくとも１つは、ＢＨＬ特性に少なくとも部分的に対応してもよい。
【００９５】
ブロック９１４では、ＵＥは、ハンドオフに関係のある事象報告を中継に提供してもよい。ここで、事象報告は、それが、ＲＡＬ特性およびＢＨＬ特性に少なくとも部分的に依存するように、バイアスβを利用するバイアスされた測定を組み込む。
【００９６】
図１０は、無線通信システム１０００の例を示す。無線通信システム１０００は、簡潔さの目的のために、１つのネットワークノード１０１０と１つのモバイル機器１０５０を描く。しかしながら、システム１０００が１つを超えるネットワークノードおよび／または１つを超えるモバイル機器を含むことができることは理解される。そこでは、追加のネットワークノードおよび／またはモバイル機器は、下記に述べられた、ネットワークノード１０１０およびモバイル機器１０５０の例と本質的に類似していても、または、異なっていてもよい。さらに、ネットワークノード１０１０で例証された様々なコンポーネントおよびネットワークノード１０１０自体は、上に記述されるように、中継、ドナー基地局または異種の基地局を参照してもよい。ネットワークノード１０１０が中継である場合、中継１０１０は、別の中継および／またはドナー基地局とのバックホールリンクに対して、コンポーネントに似ている追加のコンポーネント（例証されない）を含んでいる。さらに、ネットワークノード１０１０および／またはモバイル機器１０５０が、無線通信をその間で促進するために、ここに記述したシステム（図１−６）および／または方法（図８−９）を使用することができることは理解される。
【００９７】
ネットワークノード１０１０では、多くのデータストリームに対するトラフィックデータは、データソース１０１２から送信（ＴＸ）データプロセッサ１０１４に提供される。例によれば、各データストリームは、それぞれのアンテナを通して送信することができる。ＴＸデータプロセッサ１０１４は、コード化されたデータを提供するために、そのデータストリームに選ばれた特定のコード体系に基づいたトラフィックデータストリームをフォーマットし、コード化し、インタリーブする。
【００９８】
各データストリームのコード化されたデータは、直交周波数分割多重（ＯＦＤＭ）技術を使用して、パイロットデータで多重化することができる。加えてまたは代わりに、パイロットシンボルは、周波数分割多重（ＦＤＭ）、時分割多重（ＴＤＭ）またはコード分割多重（ＣＤＭ）になりえる。パイロットデータは、典型的に、既知の方法で処理される既知のデータパターンであり、チャンネルレスポンスを評価するモバイル機器１０５０で使用することができる。各データストリームの多重パイロットおよびコード化されたデータは、変調シンボルを提供するためそのデータストリームから選択された特定の調整スキーム（例えば、二相位相変調（ＢＰＳＫ）、四相位相変調（ＱＰＳＫ）、Ｍ−位相変調（Ｍ−ＰＳＫ）、Ｍ−直交振幅変調（Ｍ−ＱＡＭ）など）に基づいて、（例えば、写像されたシンボル）変調することができる。各データストリームのデータ転送速度、コーディングおよび変調は、プロセッサ１０３０によって実行または提供される指示によって決定することができる。
【００９９】
データストリームの変調シンボルは、ＴＸ  ＭＩＭＯプロセッサ１０２０に提供することができる。それは、さらに、変調シンボル（例えば、ＯＦＤＭに対する）を処理することができる。その後、ＴＸ  ＭＩＭＯプロセッサ１０２０は、ＮＴ送信機（ＴＭＴＲ）１０２２ａから１０２２ｔにＮＴ変調シンボルストリームを供給する。種々の態様では、ＴＸ  ＭＩＭＯプロセッサ１０２０は、データストリームのシンボルおよびシンボルが送信されているアンテナにビームフォーミング重み（beamforming weight）を適用してもよい。
【０１００】
各送信機１０２２は、１つ以上のアナログ信号を提供すために、それぞれのシンボルストリームを受信し、処理し、さらに、ＭＩＭＯチャンネル上の送信に適した変調された信号を提供するために、アナログ信号を調整する（例えば、増幅、フィルタ、アップコンバートする）。さらに、送信機１０２２ａから１０２２ｔまでのＮＴ変調信号は、ＮＴアンテナ１０２４ａから１０２４ｔまでそれぞれ送信される。
【０１０１】
モバイル機器１０５０では、送信され調整された信号は、ＮＲアンテナ１０５２ａから１０５２ｒによって受け取られる。また、各アンテナ１０５２からの受信信号は、それぞれのレシーバ（ＲＣＶＲ）１０５４ａから１０５４ｒに提供される。各レシーバ１０５４は、それぞれの信号を調整（例えば、フィルタ、増幅、ダウンコンバート）し、サンプルを提供するために調整された信号をディジタル化し、さらに、対応する「受信された」シンボルストリームを提供するためにサンプルを処理する。
【０１０２】
ＲＸデータプロセッサ１０６０は、ＮＴに「検知された」シンボルストリームを提供するために、特定のレシーバ処理技術に基づいたＮＲレシーバ１０５４からのＮＲ受信されたシンボルストリームを受信し処理することができる。ＲＸデータプロセッサ１０６０は、データストリームに対するトラフィックデータを回復するために、各検知されたシンボルストリームを復調し、非インタリーブし、デコードすることができる。ＲＸデータプロセッサ１０６０による処理は、ネットワークノード１０１０でＴＸ  ＭＩＭＯプロセッサ１０２０およびＴＸデータプロセッサ１０１４によって行われたそれに補完される。
【０１０３】
プロセッサ１０７０は、上で議論されるように、どのプリコーディングマトリックスを利用するかを周期的に決めることができる。さらに、プロセッサ１０７０は、マトリックスインデックス部およびランク値部を含むリバースリンクメッセージを編成することができる。
【０１０４】
リバースリンクメッセージは、通信リンクおよび／または受信データストリームに関する様々なタイプの情報を含むことができる。リバースリンクメッセージは、ＴＸデータプロセッサ１０３８によって処理することができ、変調器１０８０によって調整することができ、送信機１０２２ａから１０２２ｔによって条件付けすることができ、ネットワークノード１０１０に送信することができる。それは、さらにデータソース１０３６から多くのデータストリーム用のトラフィックデータを受け取る。
【０１０５】
ネットワークノード１０１０では、モバイル機器１０５０からの調整された信号は、アンテナ１０５２によって受け取られ、レシーバ１０５４によって条件付けられ、復調器１０４０によって復調され、モバイル機器１０５０によって送信されたリバースリンクメッセージを抽出するためにＲＸデータプロセッサ１０４２によって処理される。さらに、プロセッサ１０３０は、ビームフォーミング重みの決定のために、どのプリコーディングマトリックスを使用するかを決めるために、抽出されたメッセージを処理することができる。
【０１０６】
プロセッサ１０３０および１０７０は、それぞれ、ネットワークノード１０１０およびモバイル機器１０５０で直接（例えば、制御、調整、管理するなど）操作することができる。それぞれのプロセッサ１０３０および１０７０は、プログラムコードおよびデータを格納するメモリ１０３２および１０７２に関係してもよい。プロセッサ１０３０および１０７０は、さらに、アップリンクとダウンリンクのための頻度とインパルス応答の評価を導くために、それぞれ計算を行うことができる。
【０１０７】
ある態様では、無線通信用の装置１０１０は、中継とドナー基地局の間のバックホールリンクを確立するための手段；中継からＵＥへバックホールリンクの特性に関係のある情報を提供するための手段；中継からＵＥへ中継とＵＥの間の中継アクセスリンクに関する情報を直接送信するための手段；ドナー基地局とＵＥの間のダイレクトアクセスリンクをＵＥに提供するために、中継からドナー基地局にバックホールリンクに関する情報を送信するための手段；ネットワークノードとＵＥの間のリンクをＵＥに提供するために、中継からネットワークノードへ情報を送るための手段；中継によって、バックホールリンクパワーの測定によるバックホールリンク品質を決定するための手段；中継とドナー基地の間のバックホールリンクの品質（バックホールリンクの特性は、バックホールリンクの品質に少なくとも部分的に対応する）を決定するための手段；バイアスに従う中継アクセスリンクのＵＥ報告が、バックホールリンクの品質に対応して変化するように、バイアスを適応するための手段；バックホールリンクの品質が、中継アクセスリンクの測定によって決定された中継アクセスリンクの品質に対応する場合に、ハンドオフの事象が起きるように、バイアスを適応するための手段；ドナー基地局とＵＥの間のダイレクトアクセスリンクの特性を測定することをＵＥに要求するための手段；中継からＵＥへの測定トリガまたは測定報告リクエストの少なくとも１つを提供するための手段；および／または、バックホールリンクの特性に従って中継アクセスリンクのパイロット送信パワーを調整するための手段を含んでもよい。ある態様では、前述の手段は、図１０で例証されたプロセッサ１０１４、１０２０、１０３０および／または１０４２でもよく、前述の手段によって列挙された機能を行うように構成されてもよい。別の態様では、前述の手段は、前述の手段によって列挙された機能を行うように構成されたモジュールまたは任意の装置でもよい。
【０１０８】
別の形態では、無線通信用の装置１０５０は、中継とＵＥの間の中継アクセスリンクの特性を決定するための手段；中継とドナー基地局の間のバックホールリンクの特性に関係のある情報を得るための手段；中継へまたは中継からのハンドオフに関係のある事象報告（事象報告は、中継アクセスリンクの特性およびバックホールリンクの特性に少なくとも部分的に依存する）を提供するための手段；ＵＥを利用して、中継アクセスリンクを測定するための手段；第１の基地局とのダイレクトアクセスリンクの特性を測定するための手段；事象報告を決定するために中継アクセスリンクの特性とのダイレクトアクセスリンクの特性を比較するための手段；次の不等式を決定するための手段；
【数１２】
0005746221.tif 000013
【０１０９】
ＵＥと中継、ドナー基地局またはドナー基地局以外の異種の基地局の少なくとも１つの間のアクセスリンクの測定にバイアスを適用するための手段；ＵＥとドナー基地局の間のダイレクトアクセスリンクの特性を測定するリクエストを受け取るための手段；中継へのダイレクトアクセスリンクの特性に関係のある情報を提供するための手段；中継からの送信のパイロット信号の強度を測定するための手段；および／または、中継からの中継アクセスリンクの特性に関係のある情報を得るための手段を含んでもよい。ある態様では、前述の手段は、図１０で示されたプロセッサ１０７０、１０６０および／または１０３８でもよく、前述の手段によって列挙された機能を行うように構成されもよい。別の態様では、前述の手段は、前述の手段によって列挙された機能を行うように構成されたモジュールまたは任意の装置でもよい。
【０１１０】
テレコミュニケーションシステムのいくつかの態様は、ＵＴＲＡおよびＥ−ＵＴＲＡシステムに関して示された。当業者が容易に理解するように、この開示の全体にわたって記述された種々の態様は、他の通信システム、ネットワークアーキテクチャおよび通信基準まで及んでもよい。
【０１１１】
一例として、開示の種々の態様は、Ｗ−ＣＤＭＡ、ＴＤ−ＣＤＭＡ、ＴＤ−ＳＣＤＭＡ、高速ダウンリンクパケットアクセス（ＨＳＤＰＡ）、高速アップリンクパケットアクセス（ＨＳＵＰＡ）および高速パケットアクセスプラス（ＨＳＰＡ＋）のような、他の無線通信基準およびエアーインターフェースまで及んでもよい。また、種々の態様は、（ＦＤＤ、ＴＤＤまたは両方のモードの中の）ＬＴＥ（Long Term Evolution）、（ＦＤＤ、ＴＤＤまたは両方のモードの中の）ＬＴＥ−Ａ（LTE-Advanced）、ｃｄｍａ２０００、ＥＶ−ＤＯ（Evolution-Data Optimized）、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ８０２．２０、ＵＷＢ（Ultra-Wideband）、または他の適切なシステムを使用するシステムまで及んでもよい。実際のテレコミュニケーション基準、ネットワークアーキテクチャおよび／または使用された通信基準は、特定のアプリケーションおよびシステムに課された全体的な設計制約に依存するだろう。
【０１１２】
開示の種々の態様に従って、エレメント、エレメントの任意の部分、またはエレメントの任意のコンビネーションは、１つ以上のプロセッサを含んでいる「処理システム」でインプリメントされてもよい。プロセッサの例は、マイクロプロセッサ、マイクロコントローラ、ＤＳＰ（digital signal processor）、ＦＰＧＡ（field programmable gate array）、ＰＬＤ（programmable logic device）、ステートマシン、ゲート制御されたロジック（gated logic）、ディスクリートハードウェア回路、およびこの開示の全体にわたって記述された様々な機能を行うように構成された他の適切なハードウェアを含んでいる。
【０１１３】
図１１は、処理システム１１１４を使用する装置１１００のためのハードウェアインプリメンテーションの例を例証するブロック図である。この例において、処理システム１１１４は、バス１１０２によって一般に表され、バスアーキテクチャーでインプリメントされてもよい。バス１１０２は、処理システム１１１４の特定のアプリケーションおよび全面的な設計制約に依存するかなり多数の相互接続バスおよびブリッジを含んでいてもよい。バス１１０２は、１つ以上のプロセッサを含む様々な回路を結合し、プロセッサ１１０４およびコンピュータ可読媒体によって一般に表され、コンピュータ可読媒体１１０６によって一般に表される。さらに、バス１１０２は、タイミングソース、周辺機器、電圧調整器およびパワーマネージメント回路のような様々な他の回路をリンクしてもよい。それは、当業者において有名で、したがって、それ以上記述されないだろう。バスインターフェース１１０８は、バス１１０２とトランシーバ１１１０の間のインターフェースを提供する。トランシーバ１１１０は、送信媒体上の様々な他の装置と通信するための手段を提供する。装置の性質に依存して、ユーザインターフェース１１１２（例えば、キーパッド、ディスプレイ、スピーカ、マイクロホン、ジョイスティック）も提供されてもよい。
【０１１４】
プロセッサ１１０４は、コンピュータ可読媒体１１０６上に格納されたソフトウェアの実行を含み、バス１１０２および一般的な処理を管理することに関与する。ソフトウェアは、プロセッサ１１０４によって実行された時、任意の特定の装置に対して以下に記述された様々な機能を処理システム１１１４に行わせる。コンピュータ可読媒体１１０６は、ソフトウェアを実行する場合、プロセッサ１１０４によって操作されるデータの格納のために使用されてもよい。
【０１１５】
処理システムでの１つ以上のプロセッサは、ソフトウェアを実行してもよい。ソフトウェアは、ソフトウェア、ファームウェア、ミドルウェア、マイクロコード、ハードウェア記述言語、または別のもので呼ばれたとしても、指示、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、機能などを意味するように広く解釈されるだろう。ソフトウェアは、コンピュータ可読媒体上に存在してもよい。コンピュータ可読媒体は、非一時的な（non-transitory）コンピュータ可読媒体でもよい。非一時的なコンピュータ可読媒体は、一例として、磁気記憶デバイス（例えば、ハードディスク、フロッピー（登録商標）ディスク、磁気帯）、光ディスク（例えば、コンパクトディスク（ＣＤ）、ディジタル多用途ディスク（ＤＶＤ））、スマートカード、フラッシュメモリデバイス（例えば、カード、スティック、キードライブ）、ランダムアクセスメモリ（ＲＡＭ）、読み出し専用メモリ（ＲＯＭ）、プログラマブルＲＯＭ（ＰＲＯＭ）、ＥＰＲＯＭ（erasable PROM）、ＥＥＰＲＯＭ（electrically erasable PROM）、レジスタ、リムーバブルディスク、および他のコンピュータによってアクセスされ読み出されてもよいソフトウェアおよび／または命令を格納するのに適した他の媒体を含んでいる。コンピュータ可読媒体は、さらに一例として、搬送波、伝送路、およびコンピュータによってアクセスされ読み出されてもよいソフトウェアおよび／または命令を送信するために適した他の媒体を含んでもよい。コンピュータ可読媒体は、処理システムに常駐してもよい、処理システムに外付けされてもよい、または、処理システムを含む多数のエンティテーを横切って分配されてもよい。コンピュータ可読媒体は、コンピュータプログラム製品（product）で具体化されてもよい。一例として、コンピュータプログラム製品は、パッケージ材にコンピュータ可読媒体を含んでいてもよい。当業者は、全体的なシステムに課された全体的な設計制約および特定のアプリケーションに依存して、この開示の全体にわたって示された記述された機能を実行するのに最良の方法を認識するだろう。
【０１１６】
前の記述は、ここに記述された種々の態様を任意の当業者が実行できるように提供される。これらの態様への様々な変更は、当業者に容易に明白になる。また、ここに定義された総括的な法則は、他の態様に適用されてもよい。したがって、その請求項は、ここに示された態様に限定されるようには意図されないが、請求項の言語と一致する十分な範囲を与えられることになっている。単数のエレメントへの言及は、特にそのように規定されていない限り、「１つおよび１つだけ」を意味するようには意図されず、しかしむしろ「１つ以上」である。特に別記しない限り、用語「いくらか」は、１つ以上を指す。「少なくとも１つの」を言及するフレーズでは、アイテムのリストは、単一のメンバを含むアイテムの任意のコンビネーションを指す。例として、「次のものの少なくとも１つ：ａ、ｂまたはｃ」は、次のものをカバーするように意図される：ａ；ｂ；ｃ；ａおよびｂ；ａおよびｃ；ｂおよびｃ；ａ、ｂおよびｃ。これらの当業者に知られ、後に知られることになる、この開示の全体にわたって記述された種々の態様のエレメントと同等である構造および機能の全ては、参照によって明らかにここに組み込まれ、請求項によって包含されるように意図される。さらに、そのような開示が請求項で明示的に詳述されるかどうかにかかわらず、ここに示された何もが公に捧げられるようには意図されない。方法の請求項の場合には、エレメントがフレーズ「するための手段」を用いて明確に列挙され、または、エレメントがフレーズ「するためのステップ」を用いて列挙されなければ、請求項のエレメントは、３５のＵ．Ｓ．Ｃ．§１１２、第６パラグラフの規定の下で解釈することができない。
以下に、本願出願の当初の特許請求の範囲に記載された発明を付記する。
［１］中継とドナー基地局との間のバックホールリンクを確立することと、
前記中継からＵＥに前記バックホールリンクの特性に関する情報を提供することと、
を具備する、無線通信の方法。
［２］前記情報を提供することは、前記中継とＵＥとの間の中継アクセスリンクを通して、前記中継から前記ＵＥに前記情報を直接送信することを含む、［１］の方法。
［３］前記情報を提供することは、前記ドナー基地局と前記ＵＥとの間のダイレクトアクセスリンクを通して前記ＵＥに提供するために、前記バックホールリンクを通して前記中継から前記ドナー基地局に前記情報を送信することを含む、［１］の方法。
［４］前記情報を提供することは、ネットワークノードと前記ＵＥとの間のリンクを通して前記ＵＥに提供するために、前記情報を前記中継から前記ネットワークノードに送信することを含む、［１］の方法。
［５］前記ネットワークノードと前記ＵＥの間の前記リンクは、前記ドナー基地局以外の異種の基地局と前記ＵＥとの間のダウンリンクを含む、［４］の方法。
［６］前記バックホールリンクの前記特性に関する前記情報は、前記ＵＥと、前記中継、前記ドナー基地局、または、前記ドナー基地局以外の第２の基地局の少なくとも１つとの間のアクセスリンクの測定に適用されるオフセットを表すバイアスを含む、［１］の方法。
［７］前記ＵＥが、前記中継と前記ＵＥとの間の中継アクセスリンクの測定に基づいて事象報告を提供するか否かを考えるときに、前記バイアスが前記ＵＥによって利用されるように適合されている、［６］の方法。
［８］前記バイアスは、セル個別オフセット（ＣＩＯ）として提供される、［６］の方法。
［９］前記バックホールリンクの前記特性は、バックホールリンク幾何学ＧＲＢＨＬを含む、［６］の方法。
［１０］前記ＧＲＢＨＬは、近隣セルからの干渉の電力スペクトル密度に対する前記ドナー基地局からの送信の電力スペクトル密度の比を含む、［９］の方法。
［１１］前記バイアスは、バックホールリンク品質と基準品質との間の差に部分的に依存する、［６］の方法。
［１２］前記中継によって、前記バックホールリンクの電力を測定することにより前記バックホールリンク品質を決定することをさらに具備し、
前記基準品質は、前記ドナー基地局上のパイロット電力オーバーヘッドを含む、［１１］の方法。
［１３］中継とＵＥとの間の中継アクセスリンクの特性を決定することと、
前記中継とドナー基地局との間のバックホールリンクの特性に関する情報を受信することと、
前記中継へまたは前記中継からのハンドオフに関する事象報告を提供することと、
を具備し、
前記事象報告は、前記中継アクセスリンクの特性と前記バックホールリンクの特性とに少なくとも部分的に依存する、無線通信の方法。
［１４］前記中継アクセスリンクの前記特性を決定することは、前記ＵＥを利用して、前記中継アクセスリンクを測定することを含む、［１３］の方法。
［１５］第１の基地局とのダイレクトアクセスリンクの特性を測定することと、
前記中継アクセスリンクの前記特性と前記ダイレクトアクセスリンクの前記特性とを比較して、前記事象報告を決定することと、
をさらに具備する、［１３］の方法。
［１６］前記第１の基地局は、前記中継を担当する前記ドナー基地局である、［１５］の方法。
［１７］前記第１の基地局は、前記中継を担当する前記ドナー基地局以外の異種の基地局である、［１５］の方法。
［１８］前記比較することは、次の不等式を決定することを含み、
【数１３】
0005746221.tif 000014
ＭＵＥＤＡＬは、前記ＵＥによる前記ダイレクトアクセスリンクの測定値を含み、
ＣＩＯＭは、ＭＵＥＤＡＬをオフセットするためのセル個別オフセットを含み、
Ｈは、ヒステリシス値を含み、
ＭＵＥＲＡＬは、前記ＵＥによる前記中継アクセスリンクの測定値を含み、
ＣＩＯＲは、ＭＵＥＲＡＬをオフセットするためのセル個別オフセットを含み、
前記ＣＩＯＭまたは前記ＣＩＯＲの少なくとも１つは、前記バックホールリンクの前記特性に少なくとも部分的に対応する、［１５］の方法。
［１９］前記バックホールリンクの前記特性に関する前記情報は、オフセットを表すバイアスを含み、
前記方法は、
前記ＵＥと、前記中継、前記ドナー基地局、または、前記ドナー基地局以外の異種の基地局の少なくとも１つとの間のアクセスリンクの測定に前記バイアスを適用することをさらに具備する、［１３］の方法。
［２０］中継とドナー基地局との間のバックホールリンクを確立する手段と、
前記バックホールリンクの特性に関する情報を前記中継からＵＥに提供する手段と、
を具備する、無線通信用の装置。
【図１】
0005746221.tif 000017
【図２】
0005746221.tif 000018
【図３】
0005746221.tif 000019
【図４】
0005746221.tif 000020
【図５】
0005746221.tif 000021
【図６】
0005746221.tif 000022
【図７】
0005746221.tif 000023
【図８】
0005746221.tif 000024
【図９】
0005746221.tif 000025
【図１０】
0005746221.tif 000026
【図１１】
0005746221.tif 000027